(57)【要約】  Ｅ−ＤＣＨ（Ｅｎｈａｎｃｅｄ  Ｄｅｄｉｃａｔｅｄ  Ｃｈａｎｎｅｌ）  ＤＬ信号が効率的に確実に運ばれるような、少なくとも１つのＤＬ（ＤｏｗｎＬｉｎｋ）  ＥＵ（Ｅｎｈａｎｃｅｄ  Ｕｐｌｉｎｋ）信号チャネルの送信電力を制御するための方法及びシステムである。このシステムは、少なくとも１つのＷＴＲＵ（無線送信／受信ユニット）、少なくとも１つのＮｏｄｅ−Ｂ、およびＲＮＣ（Ｒａｄｉｏ  Ｎｅｔｗｏｒｋ  Ｃｏｎｔｒｏｌｌｅｒ）を含む。ＷＴＲＵおよびＮｏｄｅ−Ｂの少なくとも１つは、ＤＬ  ＥＵ信号チャネル上で、ＥＵ送信失敗統計を演算し、ＥＵ送信失敗統計をＲＮＣへ報告する。ＲＮＣはその後、ＥＵ送信失敗統計に基づいて、Ｎｏｄｅ−Ｂにおいて、ＤＬ  ＥＵ信号チャネルの送信電力レベルを決定するのに使用されることになる、ＤＬ  ＥＵ信号チャネルの送信電力調整を調節する。
2007535872.tif 000002
【特許請求の範囲】
【請求項１】
Ｎｏｄｅ−Ｂが、ＥＵ動作のためのＤＬ  ＥＵ信号チャネルを介してＷＴＲＵへＥＵ制御情報を送るようにＥＵ動作がサポートされる、少なくとも１つの前記ＷＴＲＵ、すくなくとも１つの前記Ｎｏｄｅ−Ｂ、およびＲＮＣを含む無線通信システムにおいて、
前記ＤＬ  ＥＵ信号チャネルの送信電力を制御するための方法であって、
（ａ）少なくとも１つの前記ＷＴＲＵおよび前記Ｎｏｄｅ−Ｂが、ＥＵ送信失敗統計を演算し、前記ＲＮＣへ前記演算された統計を報告することと、
（ｂ）前記ＥＵ送信失敗統計に基づいて、前記ＲＮＣが、前記Ｎｏｄｅ−Ｂにおいて前記ＤＬ  ＥＵ信号チャネルの送信電力レベルを決定するのに使用される前記ＤＬ  ＥＵ信号チャネルの送信電力オフセットを調整することと
を備えたことを特徴とする方法。
【請求項２】
前記ＲＮＣが、前記ＷＴＲＵからＥ−ＤＣＨ送信を受信する前記Ｎｏｄｅ−Ｂに応答して、前記ＤＬ信号チャネルを介して前記ＷＴＲＵへ前記Ｎｏｄｅ−Ｂによって送られる信号内に含まれる、少なくとも１つのＡＣＫメッセージまたはＮＡＣＫメッセージのために、送信電力オフセットを調整することを特徴とする請求項１に記載の方法。
【請求項３】
前記ＥＵ送信失敗統計は、前記Ｎｏｄｅ−Ｂによって検知される前記ＷＴＲＵのＭＡＣ−ｅ失敗の数から、前記ＷＴＲＵによって検知される前記ＷＴＲＵのＭＡＣ−ｅ失敗の数を引くことによって決定されることを特徴とする請求項２に記載の方法。
【請求項４】
前記ＷＴＲＵの前記ＭＡＣ−ｅ失敗は、再送信の数が、既定の再送信制限を越えた場合に起こることを特徴とする請求項３に記載の方法。
【請求項５】
前記ＷＴＲＵの前記ＭＡＣ−ｅ失敗は、ＥＵ送信データがうまく送信される前に失効した場合に起こることを特徴とする請求項３に記載の方法。
【請求項６】
前記ＥＵ送信失敗統計は、前記ＷＴＲＵのためのＲＬＣリカバリ要求の数から、前記ＷＴＲＵによって検知される前記ＷＴＲＵのＭＡＣ−ｅ失敗の数を引くことによって決定されることを特徴とする請求項２に記載の方法。
【請求項７】
前記ＮＡＣＫメッセージのための送信電力は、前記ＡＣＫメッセージのための送信電力より高く設定されることを特徴とする請求項２に記載の方法。
【請求項８】
前記Ｎｏｄｅ−Ｂは、前記ＷＴＲＵからのチャネル割り当て要求に応答して送信された、ＥＵチャネル割り当て情報のための送信電力を調整することを特徴とする請求項１に記載の方法。
【請求項９】
前記ＥＵ送信失敗統計は、前記Ｎｏｄｅ−Ｂが、前記ＥＵチャネル割り当て情報が送られた後、既定の時間期間内に前記ＷＴＲＵからＥ−ＤＣＨ送信を受信しない回数として決定されることを特徴とする請求項８に記載の方法。
【請求項１０】
前記ＥＵ送信失敗統計は、前記Ｎｏｄｅ−Ｂが、前記ＥＵチャネル割り当て情報と一致しないＥＵ送信を受信する回数に基づいて決定されることを特徴とする請求項８に記載の方法。
【請求項１１】
前記ＥＵ送信失敗統計は、前記ＷＴＲＵが、特定の時間期間内に前記チャネル割り当て要求に応答して前記Ｎｏｄｅ−Ｂからチャネル割り当て情報を受け取るのに失敗した回数に基づいて決定されることを特徴とする請求項８に記載の方法。
【請求項１２】
特定のＷＴＲＵのための前記ＤＬ  ＥＵ信号チャネルの送信電力レベルは、前記特定のＷＴＲＵのためのＤＬ  ＤＰＣＣＨの送信電力を参照して決定されることを特徴とする請求項１に記載の方法。
【請求項１３】
ＤＬ  ＥＵ信号チャネルの送信電力を制御する無線通信システムであって、
（ａ）ＲＮＣと、
（ｂ）ＥＵ送信失敗統計を演算し報告し、前記ＲＮＣへ前記統計を報告するための、少なくとも１つのＷＴＲＵと、
（ｃ）ＥＵ送信失敗統計を演算し、前記ＲＮＣへ前記統計を報告するための、少なくとも１つのＮｏｄｅ−Ｂと、
（ｄ）前記Ｎｏｄｅ−Ｂが、前記ＤＬ  ＵＥ信号チャネルを介して前記ＷＴＲＵへ信号を送り、前記ＲＮＣが、ステップ（ｂ）および（ｃ）において報告されたＥＵ送信失敗統計に基づいて前記Ｎｏｄｅ−Ｂによって送られた前記信号の送信電力レベルを決定するのに使用されることになる前記ＤＬ  ＥＵ信号チャネルの送信電力オフセットを調節する、前記ＷＴＲＵおよび前記Ｎｏｄｅ−Ｂが通信する少なくとも１つの前記ＤＬ  ＥＵ信号チャネルと
を備えたことを特徴とするシステム。
【請求項１４】
前記ＲＮＣは、前記ＷＴＲＵからのＥ−ＤＣＨ送信を受信する前記Ｎｏｄｅ−Ｂに応答して、前記ＤＬ  ＥＵ信号チャネルを介して前記ＷＴＲＵへ、Ｎｏｄｅ−Ｂによって送られた信号内に含まれる、少なくとも１つのＡＣＫメッセージまたはＮＡＣＫメッセージのための送信電力オフセットを調整することを特徴とする請求項１３に記載のシステム。
【請求項１５】
前記ＥＵ送信失敗統計は、前記Ｎｏｄｅ−Ｂによって検知される前記ＷＴＲＵのＭＡＣ−ｅ失敗の数から、前記ＷＴＲＵによって検知された前記ＷＴＲＵのＭＡＣ−ｅ失敗の数を引くことによって決定されることを特徴とする請求項１４に記載のシステム。
【請求項１６】
前記ＷＴＲＵの前記ＭＡＣ−ｅ失敗は、再送信の数が、既定の再送信制限を超える場合に起こることを特徴とする請求項１５に記載のシステム。
【請求項１７】
前記ＷＴＲＵの前記ＭＡＣ−ｅ失敗は、ＥＵ送信データが、うまく送信される前に失効した場合に起こることを特徴とする請求項１５に記載のシステム。
【請求項１８】
前記ＥＵ送信失敗統計は、前記ＷＴＲＵのＲＬＣリカバリ要求の数から、前記ＷＴＲＵによって検知される前記ＷＴＲＵのＭＡＣ−ｅ失敗の数を引くことによって決定されることを特徴とする請求項１４に記載のシステム。
【請求項１９】
前記ＮＡＣＫメッセージの送信電力は、前記ＡＣＫメッセージの送信電力より高く設定されることを特徴とする請求項１４に記載のシステム。
【請求項２０】
前記ＲＮＣは、前記ＷＴＲＵによるチャネル割り当てに応答して、前記Ｎｏｄｅ−Ｂによって信号が送られるＥＵチャネル割り当て情報の送信電力オフセットを調節することを特徴とする請求項１３に記載のシステム。
【請求項２１】
前記ＥＵ送信失敗統計は、前記Ｎｏｄｅ−Ｂが、前記ＥＵチャネル割り当て情報が送信された後、前記ＷＴＲＵからのＥＵ送信を受信するのに失敗した回数に基づいて決定されることを特徴とする請求項２０に記載のシステム。
【請求項２２】
前記ＥＵ送信失敗統計は、前記Ｎｏｄｅ−Ｂが、前記ＥＵチャネル割り当て情報に一致しないＥＵ送信を受信した回数に基づいて決定されることを特徴とする請求項２０に記載のシステム。
【請求項２３】
前記ＥＵ送信失敗統計は、前記ＷＴＲＵが、特定の時間期間内に前記Ｎｏｄｅ−Ｂからチャネル割り当て情報を受信するのに失敗した回数として決定されることを特徴とする請求項２０に記載のシステム。
【請求項２４】
特定のＷＴＲＵのための前記ＤＬ  ＥＵ信号チャネルの送信電力は、前記特定のＷＴＲＵのＤＰＣＣＨの送信電力を参照して決定されることを特徴とする請求項１３に記載のシステム。
【請求項２５】
ＤＬ  ＥＵ信号チャネルの送信電力を制御する無線通信システムであって、
（ａ）ＲＮＣと、
（ｂ）ＥＵ送信失敗統計を演算し、前記ＲＮＣへ前記統計を報告するための、少なくとも１つのＷＴＲＵと、
（ｃ）少なくとも１つのＮｏｄｅ−Ｂと、
（ｄ）前記Ｎｏｄｅ−Ｂが、前記ＤＬ  ＵＥ信号チャネルを介して前記ＷＴＲＵへ信号を送り、前記ＲＮＣが、前記ＷＴＲＵによって前記ＲＮＣへ報告された前記ＥＵ送信失敗統計に基づいて前記Ｎｏｄｅ−Ｂによって送られた前記信号の送信電力レベルを決定するのに使用されることになる前記ＤＬ  ＥＵ信号チャネルの送信電力オフセットを調節する、前記ＷＴＲＵおよび前記Ｎｏｄｅ−Ｂと通信する少なくとも１つの前記ＤＬ  ＥＵ信号チャネルと
を備えたことを特徴とするシステム。
【請求項２６】
ＤＬ  ＥＵ信号チャネルの送信電力を制御する無線通信システムであって、
（ａ）ＲＮＣと、
（ｂ）ＷＴＲＵと、
（ｃ）ＥＵ送信失敗統計を演算し、前記ＲＮＣへ前記統計を報告するための、少なくとも１つのＮｏｄｅ−Ｂと、
（ｄ）前記Ｎｏｄｅ−Ｂが、前記ＤＬ  ＵＥ信号チャネルを介して前記ＷＴＲＵへ信号を送り、前記ＲＮＣが、前記ＷＴＲＵによって前記ＲＮＣへ報告された前記ＥＵ送信失敗統計に基づいて前記Ｎｏｄｅ−Ｂによって送られた前記信号の送信電力レベルを決定するのに使用されることになる前記ＤＬ  ＥＵ信号チャネルの送信電力オフセットを調節する、前記ＷＴＲＵおよび前記Ｎｏｄｅ−Ｂと通信する少なくとも１つの前記ＤＬ  ＥＵ信号チャネルと
を備えたことを特徴とするシステム。
【請求項２７】
無線通信システムであって、
（ａ）ＷＴＲＵと、
（ｂ）ＤＬ  ＥＵ信号チャネルの前記電力レベルが、現在のＤＬ専用制御チャネルの前記電力レベルに基づいている、前記ＷＴＲＵと通信するのに専用化されたＤＬ  ＥＵ信号チャネルと
を備えたことを特徴とするシステム。
【請求項２８】
前記ＤＬ  ＥＵ信号チャネルの前記電力レベルが、前記現在のＤＬ専用制御チャネルの電力レベルおよび初期の電力オフセットに基づいていることを特徴とする請求項２７に記載のシステム。
【請求項２９】
（ｃ）Ｎｏｄｅ−Ｂと、
（ｄ）ＲＮＣが、少なくとも１つの前記ＷＴＲＵおよび前記Ｎｏｄｅ−Ｂによって、前記ＲＮＣへ演算および報告されたＥＵ送信失敗統計に基づいて、前記電力オフセットを調整するＲＮＣと
をさらに備えたことを特徴とする請求項２８に記載のシステム。
【請求項３０】
無線通信システムであって、
（ａ）複数のＷＴＲＵと、
（ｂ）ＲＮＣと、
（ｃ）ＤＬ  ＥＵ信号チャネルの電力レベルが、前記ＲＮＣによって初期的に設定される共通のＤＬ信号電力レベルに基づいている、ＷＴＲＵによって共有されるＤＬ  ＥＵ信号チャネルと
を備えたことを特徴とするシステム。
【請求項３１】
前記ＤＬ  ＥＵ信号チャネルの前記電力レベルが、前記ＲＮＣによって初期的に設定される共通のＤＬ信号電力レベルおよび電力オフセットに基づくことを特徴とする請求項３０に記載のシステム。
【請求項３２】
前記システムは、さらに、Ｎｏｄｅ−Ｂを備え、前記ＲＮＣは、演算され、少なくとも１つの、前記複数のＷＴＲＵおよび前記Ｎｏｄｅ−Ｂによって前記ＲＮＣへ報告されるＥＵ送信失敗統計に基づいて、前記電力オフセットを調整することを特徴とする請求項３１に記載の方法。
【発明の詳細な説明】
【技術分野】
【０００１】
本発明は、ＷＴＲＵ（無線送信／受信ユニット：Ｗｉｒｅｌｅｓｓ  Ｔｒａｎｓｍｉｔ／Ｒｅｃｅｉｖｅ  Ｕｎｉｔ）、すくなくとも１つのＮｏｄｅ−Ｂ、およびＲＮＣ（無線ネットワークコントローラ：Ｒａｄｉｏ  Ｎｅｔｗｏｒｋ  Ｃｏｎｔｒｏｌｌｅｒ）を含む無線通信システムに関する。さらに詳しくは、本発明は、Ｅ−ＤＣＨ（Ｅｎｈａｎｃｅｄ  Ｄｅｄｉｃａｔｅｄ  Ｃｈａｎｎｅｌ）ダウンリンク信号チャネルがより信頼できるようにＥＵ送信およびＷＴＲＵおよび/またはＮｏｄｅ−ＢによってＲＮＣへ報告された情報受領の失敗統計をスケジューリングに基づいて、ＤＬ（ダウンリンク：ＤｏｗｎＬｉｎｋ）ＥＵ（拡張アップリンク：Ｅｎｈａｎｃｅｄ  Ｕｐｌｉｎｋ）信号チャネルの送信電力を制御するための方法およびシステムである。
【背景技術】
【０００２】
アップリンクカバレッジ、スループット、および送信待ち時間を改善するための方法は、現在、３ＧＰＰ（Ｔｈｉｒｄ  Ｇｅｎｅｒａｔｉｏｎ  Ｐａｒｔｎｅｒｓｈｉｐ Ｐｒｏｊｅｃｔ）の６版（Ｒｅｌｅａｓｅ  ６）で調査されている。これらの目的を達成するために、Ｎｏｄｅ−Ｂは、ＷＴＲＵへのアップリンク資源のスケジューリングと割り当ての役割を引き受けるだろう。Ｎｏｄｅ−Ｂは、ＲＮＣが雑な全体的制御を保持するとしても、ＲＮＣより短期間でＵＬ無線資源のより効率的な決定および管理を行える。
【０００３】
ＭＡＣ−ｅと呼ばれるＥＵのための新規のＭＡＣ（Ｍｅｄｉａ  Ａｃｃｅｓｓ  Ｃｏｎｔｒｏｌ）機能/実体は、Ｅ−ＤＣＨ送信の送受信を扱うために、ＷＴＲＵおよびＮｏｄｅ−Ｂにおいて生成される。ＥＵを適切にサポートするために、チャネル割り当て、送信フィードバック（つまり、ＡＣＫ（承認：Ａｃｋｎｏｗｌｅｄｇｅ）またはＮＡＣＫ（非承認：Ｎｏｎ−Ａｃｋｎｏｗｌｅｄｇｅ））、および他のフィードバック情報（電力制御コマンド、またはチャネル品質など）を適切にサポートするなどの情報は、ＤＬ  ＥＵ信号チャネルを通して、ＷＴＲＵへ、効率的かつ確実に送信されなければならない。
【発明の開示】
【発明が解決しようとする課題】
【０００４】
共有ＤＬ  ＥＵ信号チャネル上の電力制御は、ＤＬ  ＥＵ信号チャネルの適切な動作をサポートするのに必須である。電力制御は、全体の干渉を減らし、それゆえ、無線資源のより効率的な使用という結果になる。
【課題を解決するための手段】
【０００５】
本発明は、Ｅ−ＤＣＨ ＤＬ信号が効率的かつ確実に運ばれるような、少なくとも１つのＤＬ  ＥＵ信号チャネルの送信電力を制御するための方法およびシステムである。ＷＴＲＵを特定する専用のＤＬ信号のために、ＤＬ  ＥＵ信号チャネルの送信電力は、現在のＤＬ専用制御チャネルの電力に加えて電力オフセットに基づく。複数のＷＴＲＵに共通のＤＬ信号にとって、ＤＬ  ＥＵ信号チャネルの送信電力は、ＲＮＣ電力オフセットによって、電力セットに基づく。ＲＮＣは、ＮＡＣＫからＡＣＫの誤った変換処理の統計を見積るために、Ｎｏｄｅ−ＢおよびＷＴＲＵから報告されたＲＵ送信失敗統計を監視する。
【０００６】
Ｎｏｄｅ−Ｂは、Ｎｏｄｅ−ＢでのＥＵ送信失敗の統計を、ＲＮＣへ報告し、ＷＴＲＵは、ＷＴＲＵでのＥＵ送信失敗の統計を、ＲＮＣに報告する。ＲＮＣはその後、見積られたＮＡＣＫとＡＣＫの誤った変換処理の統計に従って、ＮＡＣＫとＡＣＫの電力比を調節する。Ｎｏｄｅ−Ｂは、Ｎｏｄｅ−ＢがＷＴＲＵへチャネル割り当て情報を送信した後、ＷＴＲＵがＥＵ送信を開始しないこと、またはＥ−ＤＣＨ送信のデータレート／周波数が、チャネル割り当て情報において特定されたのと同じではないことを、検出されることによって、失敗したスケジューリング情報（つまり、チャネル割り当て情報）の受信統計を演算する。
【０００７】
ＷＴＲＵは、要求に続く特定の時間期間内に、ＥＵチャネル割り当て要求に応答がないことを、検知することによって、失敗したスケジューリング情報の受信統計を演算してもよい。ＲＮＣは、スケジューリング情報受信エラーの統計を見積るために、ＷＴＲＵおよびＮｏｄｅ−Ｂによって報告された、失敗したスケジューリング情報の受領統計を監視する。ＲＮＣは、スケジューリング情報の受信失敗の統計に基づいて、失敗したスケジューリング情報フィールドの電力オフセットを調節する。
【発明を実施するための最良の形態】
【０００８】
以降、「ＷＴＲＵ」技術は、ＵＥ（ユーザ装置：Ｕｓｅｒ  Ｅｑｕｉｐｍｅｎｔ）、移動局、固定または移動の加入者ユニット、ページャー、または無線環境における動作可能な任意のタイプの他のデバイスを含むが、それに限られない。以降では、「Ｎｏｄｅ−Ｂ」技術は、基地局、サイトコントローラ、アクセスポイント、無線環境における任意のタイプの他のインターフェースデバイスを含むが、それに限られない。
【０００９】
本発明の機能は、ＩＣ（Ｉｎｔｅｇｒａｔｅｄ  Ｃｉｒｃｕｉｔ）に組み込まれ、多数の相互接続コンポーネントを含む回路内に実装されてもよい。
【００１０】
図１は、本発明による無線通信システム１００のブロック図である。システム１００は、ＷＴＲＵ１０２、少なくとも１つのＮｏｄｅ−Ｂ１０４，ＲＮＣ１０６を含む。ＲＮＣ１０６は、初期の送信電力レベル、ＲＵ送信電力の最大許容値、Ｎｏｄｅ−Ｂごとの利用可能なチャネル資源などの、Ｎｏｄｅ−Ｂ１０４およびＷＴＲＵ１０２に対するＥＵパラメータを組み込むことによって、ＥＵ動作全体を制御する。
【００１１】
Ｅ−ＤＣＨ送信のために、ＷＴＲＵ１０２は、Ｅ−ＤＣＨ１０８またはＵＬ  ＥＵ信号チャネル１１２のいずれかを通じて、Ｎｏｄｅ−Ｂ１０４へＥ−ＤＣＨ割り当て要求を送る。応答して、Ｎｏｄｅ−Ｂ１０４は、ＤＬ  ＥＵ信号チャネル１１０を介してＷＴＲＵ１０２へチャネル割り当て情報を送る。ＥＵ無線資源がＷＴＲＵ１０２のために割り当てられた後、ＷＴＲＵ１０２は、Ｅ−ＤＣＨ１０８を介してデータを送信する。Ｅ−ＤＣＨ送信に応答して、Ｎｏｄｅ−Ｂ１０４は、ＤＬ  ＥＵ信号チャネル１１０を介して、Ｈ−ＡＲＱ（Ｈｙｂｒｉｄ−Ａｕｔｏｍａｔｉｃ  Ｒｅｐｅａｔ  Ｒｅｑｕｅｓｔ）動作のために、ＡＣＫまたはＮＡＣＫを送る。
【００１２】
ＷＴＲＵ１０２が、ＲＮＣ１０６によって、Ｅ−ＤＣＨ上で動作するよう構成される場合、ＤＬ  ＥＵ信号チャネル１１０を介して送信される各情報フィールド（たとえば、ＡＣＫ／ＮＡＣＫ、スケジューリング情報など）の電力オフセットもまた、ＲＮＣ１０６によって構成され、Ｕｓｂ／Ｉｕｒ１１８を介してＮｏｄｅ−Ｂ１０４へシグナリングされる。それらの初期電力オフセットは、情報フィールドの必要とされるエラー率に基づいて、ＲＮＣ１０６によって決定される。Ｅ−ＤＣＨ１０８の動作の間、ＤＬ  ＥＵ信号チャネル１１０内の情報フィールドの電力オフセットは、ＤＬ  ＥＵ信号チャネル１１０のサービスの実際に経験したサービスの質によって、調節される必要がある。
【００１３】
特定のＷＴＲＵ１０２専用のＤＬシグナリングのために、ＤＬ  ＥＵ信号チャネル１１０の送信電力は、現在のＤＬ専用のＤＬ制御チャネル電力および電力オフセットに基づく。複数のＷＴＲＵ１０２に共通するＤＬシグナリングのために、ＤＬ  ＥＵ信号チャネル１１０の送信電力は、ＲＮＣ１０６によって設定される電力レベルおよび電力オフセットに基づく。
【００１４】
各ＷＴＲＵ１０２のために、ＤＬ  ＥＵ信号チャネル１１０の送信電力は、個々に制御される。特定のＷＴＲＵ１０２のためのＤＬ  ＥＵ信号チャネル１１０の送信電力は、ＷＴＲＵ１０２のＤＬ  ＤＰＣＣＨ（専用物理制御チャネル：Ｄｅｄｉｃａｔｅｄ  ｐｈｙｓｉｃａｌ  Ｃｏｎｔｒｏｌ  Ｃｈａｎｎｅｌ）１１４の送信電力および電力オフセットとして決定される。この場合に、ＤＰＣＣＨの電力は、参考として使用される。ＷＴＲＵ１０２のＤＰＣＣＨの送信電力は、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）のリリース９９／４／５にあるように制御される。
異なる電力オフセットがＮｏｄｅ−Ｂ１０４によって送信される情報（例えば、ＡＣＫ／ＮＡＣＫ、チャネル品質フィードバック、スケジューリング情報など）に応じて使用される。ＡＣＫ／ＮＡＣＫ情報フィールドにとって、より高い電力オフセットが、ＡＣＫを送信するよりＮＡＣＫを送信するのに使用される。なぜなら、ＮＡＣＫからＡＣＫの誤った解釈は、ＡＣＫからＮＡＣＫの誤った解釈より、深刻な問題を引き起こすからである。
【００１５】
図２は、本発明によるＤＬ  ＥＵ信号チャネル１１０上での送信電力制御を実装するためのシステム１００によって実装される処理２００のシグナリング図である。ＲＮＣ１０６は、Ｎｏｄｅ−Ｂ１０４へ、ＤＬ  ＥＵ信号チャネル１１０のための電力オフセットの初期構成を送る（ステップ２０２）。ＲＮＣ１０６は、ＤＬ  ＥＵ信号チャネル１１０上の受信及び送信のエラー率を推定するために、失敗したＭＡＣ−ｅ送信、および／またはＷＴＲＵ１０２および／またはＮｏｄｅ−Ｂによって報告された失敗したチャネル割り当て情報受領統計を監視する（ステップ２０４、２０６）。ステップ２０７において、ＲＮＣ１０６は、報告された失敗ＭＡＣ−ｅ送信統計に基づいてＮＡＣＫからＡＣＫの誤った解釈の統計を推定する。ＮＡＣＫからＡＣＫの誤った変換処理の統計の推定が、閾値より高い場合、ＲＮＣ１０６は、それによりＤＬ  ＥＵ信号チャネル１１０のために、ＮＡＣＫからＡＣＫの電力比（つまり、電力オフセット率）を調整する。ＷＴＲＵ１０２およびＮｏｄｅ−Ｂ１０４から受信した失敗チャネル割り当て情報受領統計に基づいて、ＲＮＣ１０６は、それによりスケジューリング情報フィールドの電力オフセットを調節する（ステップ２０８）。このように、ＥＵの正規の動作は維持され、無線資源は効率的に使用される。
【００１６】
図３は、本発明の一実施形態に基づくＤＬ  ＥＵ信号チャネルの送信電力を制御するための処理３００のフロー図である。ＷＴＲＵ１０２は、ＥＵ動作のために構成される（ステップ３０２）。ＷＴＲＵ１０２は、Ｅ−ＤＣＨ１０８を通して送信されるべきデータがあるかどうかを決定する（ステップ３０４）。送信するデータがあれば、ＷＴＲＵ１０２は、Ｅ−ＤＣＨ１０８またはＵＬ  ＥＵ信号チャネル１１２のいずれかを介して、Ｎｏｄｅ−Ｂ１０４へ、チャネル割り当て要求を送る（ステップ３０６）。Ｎｏｄｅ−Ｂ１０４は、要求を受信して、ＤＬ  ＥＵ信号チャネル１１０を介して、ＷＴＲＵ１０２へチャネル割り当て要求情報を送る（ステップ３０８）。
【００１７】
チャネル割り当て要求を送った後、ＷＲＵ１０２は、チャネル割り当て情報のために、ＤＬ  ＥＵ信号チャネル１１０を監視する。Ｎｏｄｅ−Ｂ１０４もまた、ＤＬ  ＥＵ信号チャネル１１０を介してチャネル割り当て情報を送った後、Ｅ−ＤＣＪ送信を監視する（ステップ３１０）。
【００１８】
ＷＴＲＵ１０２へ送ったチャネル割り当て情報は、うまく運ばれないかもしれない。チャネル割り当て情報の失敗した送信の連続は、割り当てが実行された方法による。決定的な割り当てのために、ＷＴＲＵ１０２は、まったく送ることができないだろう。統計的な割り当てのために、ＷＴＲＵはまったく送ることができないか、またはチャネル割り当て情報において特定されたのと同じでないレートおよび／または持続レベルで、データを送信することができるかのいずれかである。
【００１９】
決定的な割り当ては、最大の割り当てられた送信電力および／またはデータレートが特定する割り当てであり、ＷＴＲＵ１０２は、その送信電力および／またはデータレートが最大値を超えない限り、いつでも送信できる。統計的な割り当ては、送信電力および／またはデータレートを割り当てられた、特定された最大値に加え、持続レベル（可能性）もまた特定される。ＷＴＲＵ１０２は、持続レベルによって時々、または持続レベルによって決定される送信電力および／またはデータレートでいつでも、送信するかもしれない。
【００２０】
Ｎｏｄｅ−Ｂ１０４がチャネル割り当て情報を送った後、ＷＴＲＵ１０２がＥＵ送信を開始しないこと、またはＥ−ＤＣＨ送信のデータレート／頻度がチャネル割り当て情報において特定されたのと同じでないことを、Ｎｏｄｅ−Ｂ１０４が、検知することによって、失敗したスケジューリング情報受信統計を演算し報告する（ステップ３１２）。これは、受信電力閾値にもとづいてもよい。ＷＴＲＵ１０２もまた、チャネル割り当て要求の送信に続いて、特定の時間期間内にＥＵチャネル割り当て要求への応答がないことを、検知することによって、失敗したスケジューリング情報受領統計を演算し、報告してもよい（ステップ３１２）。
【００２１】
チャネル割り当て情報の失敗した送信統計が、既定の閾値より高い場合、ＲＮＣ１０６は、ＤＬ  ＥＵ信号チャネル１１０上のスケジューリング情報フィールドの送信電力オフセットを増加させる（ステップ３１４）。ＲＮＣ１０６は、Ｉｕｂ／Ｉｕｒ１１８を通って、Ｎｏｄｅ−Ｂ１０４へ調節された電力オフセットの信号を送る。
【００２２】
図４は、本発明の別の実施形態による、ＤＬ  ＥＵ信号チャネル１１０の送信電力を制御するための処理４００のフロー図である。ＷＴＲＵ１０２が、ＥＵ動作のために構成され、ステップ４０２でチャネル割り当て情報を受け取った後、ＷＴＲＵ１０２は、Ｅ−ＤＣＨ１０８を通じて、データを送信する（ステップ４０４）。Ｎｏｄｅ−Ｂ１０４は、データを受信し、復号化する。Ｎｏｄｅ−Ｂ１０４はその後、復号化されたデータによって、フィードバック情報（つまり、ＡＣＫまたはＮＡＣＫ）を、ＷＴＲＵ１０２へ送る（ステップ４０６）。
【００２３】
ＷＴＲＵ１０２および／またはＮｏｄｅ−Ｂ１０４は、Ｍａｃ−ｅ失敗統計を演算し、ＮＡＣＫからＡＣＫへの電力比を調節するために、それらをＲＮＣ１０６へ報告する。一実施形態によると、ＷＴＲＵ１０２は、ＷＴＲＵ１０２において、ＭＡＣ−ｅ失敗の数を報告し、それはうまく送信されなかったデータブロックの数である。ＭＡＣ−ｅ失敗は、データブロックが、送信の最大数またはデータブロックの最大遅延が到達したなどの理由のために、ＭＡＣ−ｅにおいて送信に失敗するときに起こる。Ｎｏｄｅ−Ｂ１０４は、Ｎｏｄｅ−Ｂ１０４において、ＷＴＲＵ１０２のＭＡＣ−ｅ失敗の数を報告し、これは、Ｎｏｄｅ−Ｂ１１４内のＭＡＣ−ｅにおいて、うまく受信できないデータブロックの数である。
【００２４】
時々、ＷＴＲＵ１０２がうまく送信されているとして解釈するデータブロックは、実際にはＮｏｄｅ−Ｂ１０４においてうまく受信していないかもしれない。なぜなら、データブロックのＮＡＣＫは、ＷＴＲＵ１０２においてＡＣＫとして解釈されるからである。ＲＮＣ１０６は、ＷＴＲＵ１０２のＮＡＣＫからＡＣＫの誤った解釈の数を、Ｎｏｄｅ−Ｂ１０４マイナスＷＴＲＵ１０２によって報告されたＷＴＲＵ１０２のＭＡＣ−ｅ失敗の数によって報告される、ＷＴＲＵ１０２のＭＡＣ−ｅ失敗の数として決定する。
【００２５】
代わりに、ＲＮＣ１０６は、ＲＮＣ１０６において、ＷＴＲＵ１０２のためのＥ−ＤＣＨデータのＲＬＣ（Ｒａｄｉｏ  Ｌｉｎｋ  Ｃｏｎｔｒｏｌ）リカバリ要求の数を利用するＮＡＣＫからＡＣＫの誤った解釈の数を決定してもよく、それは、ＲＮＣ１０６によって、内部で訂正されるか、演算できる。ＷＴＲＵ１０２がうまく送信できたとして解釈するデータブロックは、後で、ＮＡＣＫからＡＣＫの誤った解釈のためにデータＲＬＣリカバリ要求を有してもよい。ＲＮＣ１０６は、ＲＮＣ１０６マイナスＷＴＲＵ１０２によって報告されたＷＴＲＵ１０２のＭＡＣ−ｅ失敗の数において、ＷＴＲＵ１０２のＥ−ＤＣＨデータのＲＬＣリカバリ要求の数として、ＷＴＲＵ１０２のＮＡＣＫからＡＣＫの誤った解釈の数を決定する。
【００２６】
ＷＴＲＵ１０２において、ＷＴＲＵ１０２のＭＡＣ−ｅ失敗統計は、ＲＲＣ処理を通してＲＮＣ１０６へ報告され、Ｎｏｄｅ−Ｂ１０４におけるＷＴＲＵ１０２のＭＡＣ−ｅ失敗統計は、Ｉｒｂ／Ｉｕｒ１１８を通してＲＮＣ１０６へ報告される。
【００２７】
ＮＡＣＫからＡＣＫの誤った解釈の可能性が、既定の閾値より高いならば、ＲＮＣ１０６は、ＡＣＫの電力オフセットに対するＮＡＣＫの電力比を増加する（ステップ４１０）。より高い電力オフセットで、ＮＡＣＫは、より確実にＷＴＲＵへ運ばれるだろう。ＲＮＣ１０６は、Ｉｒｂ／Ｉｕｒ１１８を通ってＮｏｄｅ−Ｂ１０４へ、ＡＣＫおよびＮＡＣＫ（またはＡＣＫおよびＮＡＣＫの電力比）についての調整した電力オフセットをシグナリングし、Ｎｏｄｅ−Ｂ１０４は、ＥＵ  ＤＬ信号チャネルの送信電力の設定において、電力オフセット／比を使用する。
【００２８】
本発明の目的および要素は、特定の組合せにおける好適な実施形態で説明されているが、それぞれの目的または要素は、好適な実施形態の他の目的および要素なしで単独で、または本発明の他の目的および要素であるいはそれらなしでの様々な組合せにおいて、使用できる。
【図面の簡単な説明】
【００２９】
【図１】本発明による無線通信システムのブロック図である。
【図２】本発明によるＤＬ  ＥＵ信号チャネル上で、送信電力の制御を実装するための図１のシステムの構成要素間のシグナリング図である。
【図３】本発明の一実施形態によるＤＬ  ＥＵ信号チャネル上で、送信電力の制御を実装するための処理のフロー図である。
【図４】本発明のもう１つの実施形態によるＤＬ  ＥＵ信号チャネル上で、送信電力の制御を実装するための処理のフロー図である。
【図１】
2007535872.tif 000003
【図２】
2007535872.tif 000004
【図３】
2007535872.tif 000005
【図４】
2007535872.tif 000006
【国際調査報告】
2007535872.tif 000007